(57)【要約】【課題】簡単な構造で、防水性を向上できるマリン用音響機器に好適な回転つまみの防水構造を提供する。【解決手段】つまみ本体と、前記つまみ本体の背方にあって、中央に電気部品の回転軸に対する連結用部を有し後部にエスカッションの穴部背後に対する取付け部を有するノブ部材と、前記ノブ部材とつまみ本体の間に保持され、外縁部をもってエスカッションの穴部口縁と接触されるシールリングを備え、かつ前記シールリングとつまみ本体の間に、外端がシールリングとエスカッション穴部口縁との接触位置を越えて半径方向に延出するリング状の防水フィルムを介装し、水圧による防水フィルムの自由端の変形で、シールリングとエスカッション穴部口縁との接触位置をシールし、水の浸入を防止する。【選択図】図２
2006222311.tif 000002
【特許請求の範囲】
【請求項１】
つまみ本体と、前記つまみ本体の背方にあって、中央には電気部品の回転軸に対する連結用部を有し後部にはエスカッションの穴部背後に対する取付け部を有するノブ部材と、前記ノブ部材とつまみ本体の間に保持され、外縁部をもってエスカッションの穴部口縁と接触されるシールリングを備え、かつ前記シールリングとつまみ本体の間に、外端がシールリングとエスカッション穴部口縁との接触位置を越えて半径方向に延出するリング状の防水フィルムを介装していることを特徴とする回転つまみの防水構造。
【請求項２】
前記ノブ部材シーリング及び防水フィルムが透光性を有することを特徴とする請求項１に記載の回転つまみの防水構造。
【請求項３】
シールリングが防水フィルムの内径を嵌める凸台部を有し、つまみ本体が、前記防水フィルムの厚さ方向をシールリングとで挟圧する環状端面を有し、前記つまみ本体と防水フィルムとシールリングおよびノブ部材が重ねられ、固定用機素により組みつけられていることを特徴とする請求項１または２に記載の回転つまみの防水構造。
【発明の詳細な説明】
【技術分野】
【０００１】
本発明は主として音響機器における回転つまみの防水構造に関する。
【背景技術】
【０００２】
たとえばラジオやカセットテープ、ＣＤ，ＤＶＤなどを搭載した音響機器においては、パネルから回転つまみを突出させ、これを回動することによりボリュームを調整したり、周波数を調整したりするようにしている。
【０００３】
こうした音響機器において、特に野外用や船舶に搭載するものでは、回転つまみ部分から機器内への水の浸入を防止することが不可欠である。この対策として、回転つまみとケーシングの間にリング状のゴムパッキンを介在する構造が従来から採用されているが、従来の防水構造では、水圧がかかった場合に的確に対応することが困難であった。
しかも、操作性の向上や外観の向上のために、つまみの周囲を環状照明しようとした場合、つまみの外周とパネルやエスカッションの孔内径との間には回動のための隙間を大きく超える隙間が形成されることになるので防水性の確保がより一層困難となり、照明性能の実現は望み得なかった。
【特許文献１】特開平１１−１９１５０８公報
【発明の開示】
【発明が解決しようとする課題】
【０００４】
本発明は前記のような問題点を解消するためになされたもので、その第１の目的は、簡単な構造で防水性を向上できるマリン用音響機器に好適な回転つまみの防水構造を提供することにある。
また、本発明の第２の目的は、簡単な構造で防水性を向上できるとともに適切なリング照明を行なえるマリン用音響機器に好適な回転つまみの防水構造を提供することにある。
【課題を解決するための手段】
【０００５】
上記第１の目的を達成するため本発明は、つまみ本体と、前記つまみ本体の背方にあって、中央には電気部品の回転軸に対する連結用部を有し後部にはエスカッションの穴部背後に対する取付け部を有するノブ部材と、前記ノブ部材とつまみ本体の間に保持され、外縁部をもってエスカッションの穴部口縁と接触されるシールリングを備え、かつ前記シールリングとつまみ本体の間に、外端がシールリングとエスカッション穴部口縁との接触位置を越えて半径方向に延出するリング状の防水フィルムを介装していることを特徴としている。
また、第２の目的を達成するため本発明は、前記ノブ部材と前記シールリングおよび前記防水フィルムをそれぞれ透光性材料で構成している
【発明の効果】
【０００６】
シールリングがエスカッションの穴縁に接触しているだけでは、水がパネルの穴を通して浸入し、その水圧がシールリングに作用したときにシールリングがめくりあがってシール不良が生じ、浸入水がエスカッション内に浸透し、基板に達する危険があるが、シールリングの前面にリング状の防水フィルムが位置し、その防水フィルムの外端（自由端）がシールリングとエスカッションとの接触位置を越えて延出しているので、水圧がかかると防水フィルムの自由端域が押圧変形されてエスカッションの口縁端面に密接される。このため、シールリング外縁とエスカッション口縁との間からの水の浸入が完全にシャットアウトされ、適切な防水性能が確保される。
【０００７】
また、ノブ部材と前記シールリングおよび前記防水フィルムをそれぞれ透光性材料で構成しているため、基板側にノブ部材と対峙させて導光部材を配置しておくことにより、光がノブ、シールリングおよびフィルムを導通してつまみ本体の周囲を照明することができ、また前記のように防水性がよいためつまみ本体を囲むエスカッションの穴を大きくすることが可能であり、これにより照明面積が大きくなるので、防水機能とリング照明機能を確実に果たすことができる。
【発明を実施するための最良の形態】
【０００８】
シールリングが防水フィルムの内径を嵌める凸台部を有し、つまみ本体が、前記防水フィルムの厚さ方向をシールリングとで挟圧する環状端面を有し、前記つまみ本体と防水フィルムとシールリングおよびノブ部材が重ねられ、固定用機素により組みつけられている。
これによれば、シールリングと防水フィルムおよびつまみ本体が緊密に一体化されるので防水性の高い回転つまみアセンブリーとすることができ、エスカッションに対する組付けも簡単であり、しかも、防水フィルムの位置ずれが生じない。
【実施例１】
【０００９】
以下、添付図面を参照して本発明の実施例を説明する。
図１は本発明の防水構造を適用したマリン用音響機器の一例を示しており、１は本体であり、ＣＤやＤＶＤプレーヤー本体、電子回路、電気回路などを組み込み、周囲を耐水性のボックス状カバー１ａで覆ってなり、前面部には本体側パネル１ｂが水密に固定されている。
【００１０】
２はパネルであり、この例では開閉型であるため、前記本体１と数個のヒンジで開閉自在に枢着されている。パネル２は、パネル本体２Ａと、エスカッション２Ｂと、各種回路部品や電気部品をマウントした基板２Ｃおよび背面板２Ｄを、前方から後方にこの順序で配して固定したユニットからなっており、パネル本体２Ａには液晶表示部が設けられ、また、パネル本体２Ａを貫いてラジオ、ＣＤ，Ａuｘ、ＣｅＮｅｔなどの電源をはじめとする各種操作のための多数の押しボタンが配されているほか、リング照明される回転つまみ３が突出している。
【００１１】
図２ないし図５は前記回転つまみ３とその防水構造の詳細を示している。
まず、前記基板２Ｃには、図２のように、回転つまみ３に対応する位置に増幅器などの電気部品４の回転軸４ａが突設されるとともに、この回転軸４ａを同心円状に囲む環状の導光用部材５が固定されており、ＬＥＤなどの光源などから導かれた光をパネル方向にリング状に照射するようになっている。
【００１２】
エスカッション２Ｂは前記基板２Ｃと所定の距離をおいて対峙され、前記導光用部材５に対応する位置に、導光用部材５と同心状の穴２ａが設けられており、その穴の前面側にはリング状の突壁２０が形成されている。穴２ａの奥には、後述するノブ部材を回転は許容するが抜出しを許さぬように連結するための係合用段部２１が環設されている。また、突壁２０の口縁部内側には、後述するシールリングの外縁部と密接すべきシール用段部２２が設けられている。
【００１３】
パネル本体２Ａはドレーン空間Ａを有せしめるように前記エスカッション２Ｂと所定の間隔をおいて対峙され、前記導光用部材５に対応する位置に、回転つまみ３の自由な回動を許しかつその回転つまみ３を囲んでリング状の照明光がよく視認できるような大きさの穴２３を設けている。
【００１４】
前記回転つまみ３は、図３と図４のように、ノブ部材６と、シールリング７と、リング状の防水フィルム８と、つまみ本体９およびカバー１０とを固定用機素としてのビス１１で組付けしたアッセンブリーないしユニットからなっている。この実施例では前記つまみ本体９を囲むリング照明が行なわれるようになっている。
【００１５】
詳細に説明すると、前記ノブ部材６は、全体が透光性の合成樹脂たとえばポリカーボネートの成形品からなり、前記エスカッション２Ｂの穴２ａに遊嵌される外径をもったリング状の盤部６ａにシールリング７の内側形状と合致する形状の凸台部６ｂを形成している。
【００１６】
前記凸台部６ｂは、この例では正面小判状をなし、外形の数箇所には位置決め用の突起６０が設けられ、中央部位には、図２と図４のように肉厚を貫いて前方と後方に延出する筒部６１が形成されている。この筒部６１は前記電気部品４の回転軸４ａを相対回転なしに嵌めるための突条６１０を内側に有している。
前記盤部６ａには、後方に延在する複数の拡縮可能な脚部６ｃが連設されており、それら脚部６ｃには、前記エスカッション２Ｂの穴背面に設けた係合用段部２１に係合可能なフック６２がそれぞれ形成されている。
盤部６ａと凸台部６ｂには、図２と４のように、ビス１１を挿通する複数の通孔６３が貫設されている。
【００１７】
シールリング７は、非吸水性と良好な弾性を有し、しかも透光性を備えたゴムあるいは合成樹脂からなる。その例としては、たとえば、乳白色あるいは半透明のシリコンゴムなどがある。
シールリング７は、前記エスカッション２Ｂのシール用段部２２に接触すべき外周縁を有せしめるようにノブ部材６の盤部６ａよりも径の大きい主部７ａを備え、これの前面に、防水フィルム８の内径と合致した寸法の円形状輪郭をなした凸台部７ｂを形成している。前記凸台部７ｂから主部７ａかけては、前記ノブ部材６の凸台部６ｂと合致した形状寸法の穴７０が貫設されており、穴７０には、前記突起６０を嵌める切欠き７００が設けられている。
【００１８】
防水フィルム８は非吸水性でかつ透光性のある材料たとえばポリエステルからなり、柔軟性を有するが、外圧がかからぬときにはみだりに垂れ下がらない腰の強さがあるように、厚さ０．６〜１．２ｍｍ程度に構成されている。
防水フィルム８は、前記シールリング７の凸台部７ｂと合致する内径を有している。１方、外径側は、前記シールリング７の主部７ａの外縁をオーバーハングし、エスカッション２Ｂのシール用段部２２の外方すなわち突壁２０の外径域（それ以上でもよい）に達するシール用の自由端部（外延部）８０を有している。
前記自由端部８０は前記エスカッション２Ｂの突壁２０の先端面２００と適度な隙間を有している。これは、シールリング７の主部７ａの厚さ、あるいは、シール用段部２２の高さによって設定すればよい。
【００１９】
つまみ本体９は合成樹脂からなっており、前記シールリング７よりも小さな外径に作られている。カバー１０はゴム質からなり、つまみ本体９の前面部と側面部を覆うように冠着される。
つまみ本体９は、図２のように、内面中央部に前記ノブ部材６の筒部６１と嵌合する筒部９ａが後方に向けて突設され、これよりも外径側には前記ノブ部材６の各通孔６３と合致する雌ねじ穴９０が設けられている。
また、つまみ本体９は、前記ノブ部材６の凸台部前面と密接可能な後面９１を有しており、該後端面９１の外縁部には、内径が前記シールリング７の凸台部７ｂと合致した環状壁９ｂが設けられ、これの端面で防水フィルム８の内径側半部領域を押圧するようになっている。
【００２０】
本実施例の作用を説明すると、回転つまみを組立てるには、図３の状態からつまみ本体９にカバー１０を冠着する一方、ノブ部材６の凸台部６ｂにシールリング７の穴７０を嵌め合わせ、そのシールリング７の凸台部７ｂに防水フィルム８の内径を嵌め合わせ、ノブ部材６の通孔６３にビス１１を差し込んで締め付けるもので、これで図４のようにつまみアッセンブリー３が完成する。したがって、組立ては簡単に行なえる。
【００２１】
この状態では、防水フィルム８の内径領域が環状壁９ｂの端面とシールリング７の主部７ａによって挟着されるので、防水フィルム８は半径方向、および前後方向にずれることがなく、全周が一様の半径方向突出状態となる。また、シールリング７は後面がノブ部材６の盤面に密接し、異形状の内径面がノブ部材６の異形状の凸台部６ｂに密着し、凸台部７ｂの前端面がつまみ本体９の後面９１に、外周面がつまみ本体９の環状壁内面にそれぞれ密着する。したがって、シールリング７はノブ部材６とつまみ本体９と緊密に一体化される。また、つまみ本体９の筒部９ａにはノブ部材６の筒部６１が内嵌するので、それらの位置ずれも起こらない。
【００２２】
上記のようなつまみアッセンブリー３は、次に、ノブ部材６の中央の筒部６１をエスカッション２Ｂ外に突出している回転軸４ａに嵌め合わせつつ、脚部６ｃをすぼめて、シールリング７がシール用段部２２に当接するまでエスカッション２Ｂの穴２ａに挿入する。
このときに、防水フィルム８の自由端部８０がストッパーとなるので、差し込みの良否を容易に感得でき、脚部６ｃが拡径するとフック６２が係合用段部２１に引っ掛かるため、ワンタッチで組み込みが完了する。あとは、パネル本体２Ａの穴２３をつまみ本体９に合わせて組み付ければよく、これで、図２の組立て状態となる。
【００２３】
カバー１０とつまみ本体９をつまんで回動すれば、シールリング７がエスカッション２Ｂのシール用段部２２に摺接しながらノブ部材６を含めた全体が回動し、ノブ部材６と連結している回転軸４ａが回転されるため、音量などが調整されたりあるいは周波数が調整されたりする。
このときに、防水フィルム８の自由端部８０はほとんど垂れることがないので、突壁２０の端面に接触することによる不要な抵抗感が生じず、また、回転に伴う突壁２０の端面との摩擦の繰り返しによって防水フィルム８が磨耗することもほとんどない。
【００２４】
このような使用状態において、水がパネル本体２Ａの穴２３を通して浸入した場合、突壁２０からやや浮いた状態にある防水フィルム８の自由端部８０は、前面からの水圧がかかると、図５のように変形し、エスカッション２Ｂにおける突壁２０の端面２００に密接する。この密接度は水圧が高くなるほど増強されるため、水がシールリング７とエスカッション２Ｂとの隙間から内部に浸入する現象が完全に防止される。
【００２５】
ノブ部材６、シールリング７および防水フィルム８が透光性材料から構成されているので、光源から導光用部材５に光を導けば、ノブ部材６の環状の盤部６ａとこれに接しているシールリング７の環状の主部７ａおよびこれに接している防水フィルム８を通して光線が放射され、パネル２Ａの穴部分でつまみ本体９を囲んだ照明がなされる。光源として青色ダイオードなどを用いることにより輝度照明を行なえるので、適切な防水性を確保しつつ同時に操作性や外観を良くすることができる。
【００２６】
本発明は実施例に限定されるものではない。
１）防水フィルム８を予めシールリング７に貼り合わせておいてもよい。
２）リング照明を要しない場合には、ノブ部材６、シールリング７および防水フィルム８は透光性材料で構成される必要はない。
３）パネル２は、必ずしも開閉型である必要はない。
【図面の簡単な説明】
【００２７】
【図１】本発明にかかる防水構造を適用した回転つまみ付きパネルの一例を示す斜視図である。
【図２】図１のＩＩ−ＩＩ線に沿う拡大断面視図である。
【図３】回転つまみの防水構造の分解状態を示す斜視図である。
【図４】回転つまみのアッセンブリー状態を示す横断面図である。
【図５】水圧負荷時の状態変化を示す部分的断面図である。
【符号の説明】
【００２８】
２  パネル
２Ａ  操作パネル
２Ｂ  エスカッション
２Ｃ  基板
２ａ  穴
４ａ  回転軸
５  導光部材
６  ノブ部材
７  シールリング
８  パッキン
１１  ビス
７ｂ  凸台部
９ｂ  環状壁
【図１】
2006222311.tif 000003
【図２】
2006222311.tif 000004
【図３】
2006222311.tif 000005
【図４】
2006222311.tif 000006
【図５】
2006222311.tif 000007